(57)【要約】　　　（修正有）【課題】開閉操作の容易な傘の自動ロック式下ろくろを提供する。【解決手段】傘の中棒１０を滑動し、且つ外壁上方へ傘骨を連結する外側ろくろ２１を設けた下ろくろ２０に係り、下ろくろ内部は上が大きく下が小さい段状挿入孔２２を形成し、外側ろくろ下段外周に上下に変位する外筒３０を嵌合し、外筒の壁へ向かって広がる少なくとも２つの弾性フック２３を設け、両弾性フック上部の自由端には、内側へ向く爪２４を設け、外筒内壁には両弾性フックに対応する凹型溝３１を設け、傘の中棒上段の適正な位置へ凸型リング１１を固定結合する。傘の開閉時、外筒を上又は下へ向かって滑動させると、それに伴い弾性フックが中棒の凸型リングへ掛合され又ははずされて、外筒の上下操作のみで傘の開閉操作が可能となる。【選択図】　　図４
0003100575.tif 000002
【実用新案登録請求の範囲】
【請求項１】
　傘の中棒を滑動し、且つ外壁上方に傘骨を連結する外側ろくろを設けた下ろくろに係り、
　下ろくろ内部には上が大きく下が小さい段状挿入孔を形成し、外側ろくろ下段外周に上下に変位する外筒を嵌合して、外筒の壁に対応して外へ向かって広がる少なくとも２つの弾性フックを設け、両弾性フック上部の自由端は、内側へ向かって爪を設け、外筒内壁には両弾性フックに対応する凹型溝を設け、傘の中棒上段の適正な位置へ凸型リングを固定結合し、
　傘の開閉時、外筒を上又は下へ向かって滑動させることにより、それに伴い下ろくろに設けた弾性フックが中棒の凸型リングに掛合、又ははずされて、傘の開閉操作ができることを特徴とする自動ロック式の下ろくろ。
【請求項２】
　両弾性フックから少しずらした位置において下ろくろに更に導入溝を設け、外筒内部の壁側上部設ける凸型ブロックを導入溝へ嵌入してなることを特徴とする請求項1記載の自動ロック式の下ろくろ。
【請求項３】
　突出して設けた下ろくろの弾性フックの自由端は内へ向かって三角形爪を突出して設け、外筒の凹型溝の末端は弾性フックの上部端にある三角形の爪に対応するように下へ向かって斜めに形成されていることを特徴とする請求項１、２記載の自動ロック式の下ろくろ。
【考案の詳細な説明】
【技術分野】
【０００１】
　本考案は主に上又は下へ滑動する下ろくろに係り、即ち傘の開閉を操作する下ろくろに関するものである。
【背景技術】
【０００２】
　公知の傘のほとんどは中棒へ孔を開け、ろくろに弾性部を設け、開閉ボタンを押すとろくろの弾性部が傘を開閉する。この公知のろくろの構造には３つの欠点がある。
　その一、ろくろを設ける中棒に孔を開ける必要があり、中棒の強度が弱くなり、またボタンの弾性部が中棒を傷つけてしまう。
　その二、傘を開く（又は閉じる）時、使用者は上はじきを適正な時間で離す（押す）必要があり、これはこのような傘を使用した経験のない使用者にとても不便である。
　その三、傘を開く又は閉じるとき使用者は上はじきを確認する必要があり、傘の柄を使用者の左側または後方へ向けしっかりと握らなくてはいけない、しかし、傘の柄は中棒へネジにより設けられており、このようなネジによる連接は制御することは難しく、不便である。
【考案の開示】
【考案が解決しようとする課題】
【０００３】
　上記公知構造の欠点を解決するため、本考案は自動ロック式ろくろの提供を課題とする。
　　それは、確実に下ろくろ及び外筒へ設ける弾性フック及び凹型溝及び傘の中棒へ凸型リングを設け、使用方法は只下ろくろを上へ又は下へ滑動させるだけでよく、即ち簡単な方法で傘を開閉できるものである。
【課題を解決するための手段】
【０００４】
　外側ろくろの下段へ変位する外筒を設け、内部へ段状挿入孔を設け、傘の中棒へ結合し、傘の中棒へ対応する弾性フックを設け、弾性フックの上部へ内部へ向かって突出する爪を設け、外筒に対応する凹型を設けて、また凹型溝の上部は変位する斜面部を形成し、下ろくろ及び外筒が弾性フック及び凹型溝を位置を間違えてもそれに対応する導入溝及び凸型ブロックを更に設け、外筒の外側下端へ滑り止めを更に設ける。
【考案の効果】
【０００５】
　本考案は確実に下ろくろ及び外筒へ設ける弾性フック及び凹型溝及び傘の中棒へ凸型リングを設け、使用方法は只下ろくろを上へ又は下へ滑動させるだけでよく、即ち簡単な方法で傘を開閉できるものである。
【考案を実施するための最良の形態】
【０００６】
　図１、２に示すように、主に傘の中棒１０を滑動する下ろくろ２０に係り、下ろくろ２０の外側ろくろ２１の下方に変位効果を具有する外筒３０を設け、及び傘の中棒１０の適正な位置へ凸型リング１１を固定して設ける。
　下ろくろ２０の内部に段状挿入孔２２を設け、外側上段に傘骨４０を連結する外側ろくろ２１を設け（図4に示す）、外側ろくろ２１の下段の外周壁に適正な間隔で配列する孔へ外に向かって広がる少なくとも２つの弾性フック２３を連結し、両弾性フック２３の上部端は自由に動き、且つ内側へ向かって三角形爪２４が設けられ、両弾性フック２３より少しずらして更に導入溝２５を設ける。
【０００７】
　外筒３０は、下ろくろ２０の外側ろくろ２１より下段に嵌合し、相対する両弾性フック２３に対応する凹型溝３１を設け、凹型溝３１の上部に三角形爪２４に対応する斜面部３２を設け、内側上部に凸型ブロック３４を更に設けて下ろくろ２０の導入溝２５内に嵌入し、外側端の下段に適正な幅の滑り止め３５を設ける。
【０００８】
　傘の中棒１０の適正な位置に凸型リング１１を固定結合し、傘の中棒１０及び凸型リング１１は相対応する複数の止めびょう１０１及び凹型孔１１１により固定し、又直接傘の中棒１０にに凸型リング１１´をプレス成型する。
　図３に示すように、組み合せる時、下ろくろ２０の導入溝２５は外筒３０の凸型ブロック３４と嵌合し、凸型ブロック３４及び導入溝２５により下ろくろ２０及び外筒３０は軸を中心に共に回転し、三角形爪２４は図５に示すように凹型溝３１の方向へ回転し、外筒３０は下ろくろ２０の外側へ嵌合し、並びに狭い範囲で上下に変位可能な構成となる。
【０００９】
　図４に示すように、傘を開く時、ただ外筒３０を上へ推すだけで外筒３０は下ろくろ２０を上へ滑動して外側ろくろ２１を動かし、弾性フック２３は傘の中棒１０に有する凸型リング１１へ滑動すると、三角形爪２４の上部端は、図５の左側の図に示すように凸型リング１１に沿って外へ向かって押し拡げられ、且つ凸型リング１１を通り過ぎると弾性フック２３は本来の弾力を復元し、内側へ向かって変位し、三角形爪２４は凸型リング１１の上部へ掛着し、凸型リング１１の底部は下ろくろ２０の内部の段状挿入孔２２の小径の端面の上部に位置する（図３に示す）。即ち双方向から下ろくろ２０は挟合されているので脱落することも無く安定して決められた位置に固定される。そして、完全にロックされた状態となり傘骨が傘を開いた状態となる。
【００１０】
　図５に示すように、傘を閉じる時、下へ向かって外筒３０を引くだけでよく、弾性フック２３上部端の三角形爪２４は、外筒３０の内壁に設ける凹型溝３１の上部に設ける斜面部３２の斜面の圧力により、外側へ向かい凹型溝３１の中で変位して凸型リング１１の掛着が解除され、この時外筒３０は下ろくろ２０を傘の中棒１０に沿って下へ真っ直ぐ滑動し、完全に傘を閉じた状態を呈す。
更に本考案は下ろくろ２０の内部に形成する段状挿入孔２２及び弾性フック２３の三角形爪２４は凸型リング１１の位置は双方向に限られるものである。下ろくろ２０は傘の中棒の凸型リング１１へしっかりと固定され、上下に動くことなく、しっかりと決められた位置へ掛合する効果となる。
【図面の簡単な説明】
【００１１】
【図１】本考案の立体分解図である。
【図２】本考案の2分の１組合せ立体指示図である。
【図３】本考案の組合せ断面指示図である。
【図４】傘を開いた動作指示図である。
【図５】傘を閉じた動作指示図である。
【符号の説明】
【００１２】
１０　　　　　　　　中棒
１１、１１´　　　　凸型リング
１０１　　　　　　　止めびょう
１１１　　　　　　　凹型孔
２０　　　　　　　　下ろくろ
２１　　　　　　　　外側ろくろ
２２　　　　　　　　段状挿入孔
２３　　　　　　　　弾性フック
２４　　　　　　　　三角形爪
２５　　　　　　　　導入溝
３０　　　　　　　　外筒
３１　　　　　　　　凹型溝
３２　　　　　　　　斜面部
３４　　　　　　　　凸型ブロック
３５　　　　　　　　滑り止め
４０　　　　　　　　傘骨
【図１】
0003100575.tif 000003
【図２】
0003100575.tif 000004
【図３】
0003100575.tif 000005
【図４】
0003100575.tif 000006
【図５】
0003100575.tif 000007